(57)【要約】 【課題】  従来の成形機を用いても簡単にケースの肉厚を薄くでき、また、ショート等の不良が発生せず、その上、分解しにくい電池パックを提供する。【解決手段】  電池パック用ケース１において、電池ユニットを収納する箱体を２分割した上ケース２、下ケース３に穴部２ｂ、３ｂを設け、上ケース２、下ケース３の各々の内部に配置される上面シート４、下面シート５に穴部２ｂ、３ｂと嵌合する凸部４ｂ、５ｂを設ける。【選択図】  図１
2005243268.tif 000002
【特許請求の範囲】
【請求項１】
箱体を２分割した第１のケース片及び第２のケース片の各々に穴部を設け、前記第１のケース片及び前記第２のケース片の各々の内部に配置される第１のシート及び第２のシートの各々に前記穴部と嵌合する凸部を設けたケースに電池ユニットを収納してなることを特徴とする電池パック。
【請求項２】
前記第１のケース片及び第２のケース片は、平板に穴部を形成した枠部と、該枠部の外側の端辺に直立して形成された側壁部とで構成されたことを特徴とする請求項１記載の電池パック。
【発明の詳細な説明】
【技術分野】
【０００１】
本発明は、電池パックに関し、特に、電池パックに用いられる、リチウム二次電池等の電池ユニットを外装するケースの構造に関する。
【背景技術】
【０００２】
近年、携帯電話機等の携帯型電子機器の小型化、軽量化の進行に伴い、それらを駆動する電源としてのリチウム二次電池等の電池類も小型化、軽量化が市場より要求されており、より一層の高容量化が急務となっている。
【０００３】
ところで、携帯電話機等の携帯型電子機器の電源には、機器本体に対して着脱可能な電池パックが用いられている。この電池パックは、リチウム二次電池等のセル、保護基板等からなる電池ユニットをケース等に収納して外装したものである。この種の電池パックの外装には、金属、合成樹脂等からなるケースで覆ったものと、シュリンクフィルム、ラベルフィルム等の熱収縮性フィルムで覆ったものがある。
【０００４】
図２に、合成樹脂からなる電池パック用ケースの例を示す。図２に示すように、従来の電池パックに用いられるケース１１は、射出成形等により作製され、上ケース１２、下ケース１３から構成され、上ケース１２、下ケース１３を超音波溶着により固定したものであり、内部のセル、保護基板等の電池ユニットを外部より保護している。このような構造のため、厚さは、上ケース１２の上面側の平板部１２ａの肉厚と、下ケース１３の下面側の平板部１３ａの肉厚と、内容物である電源ユニットの厚さで決まる。ケースの肉厚が薄いほど電池パック全体の厚さを薄くすることができる。
【０００５】
又、図３に、電池パックとして主流の構造となっている、シュリンクフィルム、ラベルフィルム等の熱収縮性フィルムで覆った例を示す。図３に示すように、従来の他の例の電池パックに用いられるケース２１は、肉厚をさらに薄くするため、図２に示す上面側の平板部２２ａの肉厚と下面側の平板部２３ａの肉厚部分を取り除いた上ケース２２と下ケース２３を超音波溶着したものに、シュリンクフィルム２４又はラベルフィルム２５で覆った構造になっている。ここで、シュリンクフィルム、ラベルフィルムは、例えば、ポリ塩化ビニル、ポリエチレンテレフタレート、ポリエチレン、あるいはエチレン−酢酸ビニル共重合体等を素材とした厚さ３０〜１００μｍ程度のフィルムである。
【０００６】
しかし、図２の従来例では、最近の成形技術の進歩によって上面側の平板部１２ａの肉厚、下面側の平板部１３ａの肉厚は０．２ｍｍと薄くできるようになってきているが、高価な成形機、金型を用いることにより、高度な成形技術が必要となり容易には製造できないという問題があった。また、この種のケースでは、肉厚を薄くすることにより、ケースの上面に樹脂のショート等が発生し、不良率が上昇していた。
【０００７】
又、図３の従来例では、シュリンクフィルム等を剥がすことにより内部に入っている保護基板、セル等に容易に触れることができるため、簡単に分解することができる欠点を有していた。
【０００８】
このように、電池パックの最外周部にあるケースの種々の問題を解決しつつ、薄型化を進めることが急務となっている状況の中で、上記のケースの問題点を解決するため、電池パック用のケースが種々提案されている。
【０００９】
例えば、特許文献１、２には、電池ユニットを収納するケースを２分割した上ケース及び下ケースの一部に金属板を設けるため、アクリロニトリル−ブタジエン−スチレン樹脂等からなる枠体にアルミニウム板等からなる金属板をインサート成形して、ケースを薄型化することが開示されている。
【００１０】
しかしながら、このような特許文献１、２の構成では、ケースの肉厚をある程度薄くすることができるものの、金属板を樹脂中にインサート成形しなければならない等、製造工程が煩雑なため、低価格化の妨げになるという問題があった。
【００１１】
【特許文献１】特開平１１−２１４８５６号公報
【特許文献２】特開２００１−９３４９５号公報
【発明の開示】
【発明が解決しようとする課題】
【００１２】
本発明は、上記の課題を解決し、従来の成形機を用いても簡単にケースの肉厚を薄くでき、又、ショート等の不良が発生せず、その上、分解しにくい電池パックを提供することにある。
【課題を解決するための手段】
【００１３】
本発明は、箱体を２分割してなる第１のケース片及び第２のケース片の各々に穴部を設け、前記第１のケース片及び前記第２のケース片の各々のに内部に配置される、第１のシート及び第２のシートの各々に前記穴部と嵌合する凸部を設けたケースに電池ユニットを収納してなることを特徴とする電池パックである。
【００１４】
又、本発明は、前記第１のケース片及び第２のケース片は、平板に穴部を形成した枠部と、該枠部の外側の端辺に直立して形成された側壁部とで構成されたことを特徴とする上記の電池パックである。
【発明の効果】
【００１５】
本発明の電池パック用ケースの構造にすることで、肉厚が薄い部分となるケースの平板部の大部分を打ち抜いた構造になることにより、射出成形性が向上し、成形不良率を下げることができる。又、ケースの上面にショート等が発生しないため、信頼性が向上する。又、真空成形で作製するケースの内側からシートを入れる構造にすることで薄型化を実現できる。又、シュリンクフィルム、ラベルフィルム等を外側から巻く構造でないので、製品となってからも分解することも容易ではなく、内部に入っているセル、保護基板等に容易に触れることができないため、安全性も確保できる。
【発明を実施するための最良の形態】
【００１６】
以下、図面を参照して、本発明の一実施の形態の電池パックについて説明する。図１に、本発明の一実施の形態の電池パックに用いられるケースの説明図を示し、図１（ａ）は、外観斜視図、図１（ｂ）に、分解斜視図を示す。
【００１７】
図１（ａ）に示すように、本発明の一実施の形態の電池パックは、上ケース２、下ケース３と上面シート４、下面シート５とからケース１を構成し、その中の空隙部にセル、保護基板等からなるリチウム二次電池等の電池ユニット（図示せず）を収納してなるものである。
【００１８】
図１（ｂ）に示すように、上ケース２及び下ケース３は、射出成形等で作製された樹脂製で、矩形の主平面を有する平板に矩形の穴部２ｂ、３ｂを形成した枠部２ｃ、３ｃとこれの４つの外側の端辺に直立して形成された側壁部２ｄ、３ｄとで構成されており、扁平で直方体形状の箱体を、枠部２ｃ、３ｃに平行に側壁部２ｄ、３ｄを２等分割して形成されたものである。上ケース２及び下ケース３の材料としては、ポリカーボネート、アクリロニトリル−ブタジエン−スチレン、ポリスチレン、ポリブタジエン、ポリプロピレン、ポリエチレンテレフタレート、ポリブチレンテレフタレート、ポリフェニレンサルファイド等の熱可塑性樹脂が用いられる。
【００１９】
上面シート４及び下面シート５は、真空成形等で作製され、シート部４ａ、５ａとこの上に設けられた扁平状で矩形の凸部４ｂ、５ｂとで構成される。シート部４ａ、５ａは、上ケース２及び下ケース３の枠部２ｃ、３ｃと側壁部２ｄ、３ｄにより形成された内部に収まる大きさである。又、凸部４ｂ、５ｂは、上ケース２及び下ケース３と組み合わせると、その穴部２ｂ、３ｂに嵌合して枠部２ｃ、３ｃの平面と凸部４ｂ、５ｂの平面が同じ高さとなる厚さ及び大きさである。材料は、上ケース２及び下ケース３と同じでもよいし、異なっていてもよい。
【００２０】
このような構成の上ケース２、下ケース３及び上面シート４、下面シート５を用いて、次のようにして、本発明の一実施の形態に係る電池パックが組み立てられる。セル、保護基板等からなる電池ユニットを、上ケース２と上面シート４、下ケース３と下面シート５を組み合わせ、上面シート４と下面シート５の間に配置し収納して、上ケース２と下ケース３の互いに対向する各々の側壁部を超音波溶着等で接合して一体化する。なおその際、上ケース２の穴部２ｂに上面シート４の凸部４ｂを嵌合させる。同様に、下ケース３と下面シート５を組み合わせる。このような構成であるので、本発明の一実施の形態の電池パックは、シュリンクフィルム又はラベルフィルムを巻いた従来品と比較して分解しにくい。その上、肉厚が薄い部分がないので、成形が容易であり、０．２ｍｍ以下の肉厚を従来の成形機で容易に実現できた。
【００２１】
なお、上記において、第１のケース片を上ケース、第２のケース片を下ケース、第１のシートを上面シート、第２のシートを下面シートとした場合について説明したが、実施の態様がこれに限定されるものではなく、上下を逆にして、第１のケース片を下ケース、第２のケース片を上ケース、第１のシートを下面シート、第２のシートを上面シートとしてもかまわない。また、扁平の箱体を２等分割したが、等分割せずに側壁部の大きさが異なっていてもよい。
【図面の簡単な説明】
【００２２】
【図１】本発明の一実施の形態の電池パックに用いられるケースの説明図。図１（ａ）は、外観斜視図。図１（ｂ）は、分解斜視図。
【図２】従来の電池パックに用いられるケースの外観斜視図。
【図３】従来の他の例の電池パックに用いられるケースの外観斜視図。
【符号の説明】
【００２３】
１，１１，２１    ケース
２，１２，２２    上ケース
１２ａ，１３ａ，２２ａ，２３ａ    平板部
２ｂ，３ｂ    穴部
２ｃ，３ｃ    枠部
２ｄ，３ｄ    側壁部
３，１３，２３    下ケース
４    上面シート
４ａ，５ａ    シート部
４ｂ，５ｂ    凸部
５    下面シート
２４    シュリンクフィルム
２５    ラベルフィルム
【図１】
2005243268.tif 000003
【図２】
2005243268.tif 000004
【図３】
2005243268.tif 000005